(57)【要約】【課題】猫などの動物用トイレへ粒状排泄物処理材を補給するに際し、この動物用トイレを移動させ、元の場所に戻すことによる煩雑さや気疲れをなくすことができる粒状排泄物処理材の貯蔵補給装置を提供する。【解決手段】粒状の排泄物処理材を内部に貯蔵して動物用トイレに必要な分量の粒状の排泄物処理材を補給するための貯蔵補給装置であって、内部には粒状の排泄物処理材の収納部を有すると共に前記収納部の下方には粒状の排泄物処理材を前記動物用トイレに補給するための容器の配置空間部を有し、前記収納部の下端部には粒状の排泄物処理材の補給孔が設けられる一方、前記容器内へ粒状の排泄物処理材を供給させうると共に供給を停止させうる開閉手段及びその開閉操作手段が設けられた構成とされている。【選択図】図２
0003214437.tif 000002
【実用新案登録請求の範囲】
【請求項１】
粒状の排泄物処理材を内部に貯蔵して動物用トイレに必要な分量の粒状の排泄物処理材を補給するための貯蔵補給装置であって、
内部には粒状の排泄物処理材の収納部を有すると共に前記収納部の下方には粒状の排泄物処理材を前記動物用トイレに補給するための容器の配置空間部を有し、前記収納部の下端部には粒状の排泄物処理材の補給孔が設けられる一方、
前記容器内へ粒状の排泄物処理材を供給させうると共に供給を停止させうる開閉手段及びその開閉操作手段が設けられていることを特徴とする粒状排泄物処理材の貯蔵補給装置。
【請求項２】
前記開閉手段は、前記補給孔を開閉しうるスライド板により構成されると共に、前記開閉操作手段は、前記スライド板による前記補給孔を開閉させるためのスライドツマミであることを特徴とする請求項１記載の粒状排泄物処理材の貯蔵補給装置。
【請求項３】
前記収納部には前記補給孔へ至るに従って幅方向において小径となる傾斜面部が設けられ、前記スライド板は前記補給孔を横方向にスライドして開閉しうるように構成されていることを特徴とする請求項１又は２に記載の粒状排泄物処理材の貯蔵補給装置。
【請求項４】
前記収納部の上端部は開放されて供給孔が形成され、前記供給孔は開閉可能な蓋部により被覆されていることを特徴とする請求項１乃至３のいずれか１項に記載の粒状排泄物処理材の貯蔵補給装置。
【請求項５】
前記蓋部の上側面の全体乃至一部が透明材料又は半透明材料で形成されていることを特徴とする請求項４記載の粒状排泄物処理材の貯蔵補給装置。
【請求項６】
前記配置空間部は、前記容器を、前記配置空間部に嵌め込みさせうると共に前記配置空間部から取り外しさせうるように形成されていることを特徴とする請求項１乃至５のいずれか１項に記載の粒状排泄物処理材の貯蔵補給装置。
【考案の詳細な説明】
【技術分野】
【０００１】
本考案は、猫などのペットのための動物用トイレに使用される粒状の排泄物処理材を貯蔵し、補給するための粒状排泄物処理材の貯蔵補給装置に関するものである。
【背景技術】
【０００２】
近年、様々なペットを飼う人が急増しており、その中でも、従来から安定して人気が高かった猫を飼う人が更に増えてきている。
【０００３】
また、猫を飼うに際しては、他人に迷惑をかけることを避けるためにモラル面などを重視して、家の中で飼う人が多数派を占めるようになってきている。
【０００４】
これにより、家の中に猫用のトイレを設置する必要性が生まれ、ペットショップなどでも、猫用のトイレが広く販売されている。
【０００５】
この猫用のトイレに、一般に猫砂と呼ばれる消臭効果のある通常の砂又は人工の粒状排泄物処理材（以下、単に粒状の排泄物処理材という。）を入れると、猫は本能的に排泄行為を安心して行うことができる。
【０００６】
この粒状の排泄物処理材も、ペットショップなどで、通常、袋詰めされた状態で広く販売されている。
【０００７】
ここで、猫用のトイレに入れた粒状の排泄物処理材は、猫が排泄行為を重ね、消臭効果が薄れると、固化した分だけ取り除き、その分、補給する必要がある。
【０００８】
通常、この粒状の排泄物処理材を補給するには、ペットショップなどで購入してきた袋入りのものを、手作業で猫用のトイレに入れていたため、手が汚れたり、誤って周囲の床などにこぼして汚してしまったりするという問題があった。
【０００９】
その対策として、下記特許文献１には、辺りを汚すことなく、粒状の排泄物処理材を猫用などの動物用トイレへ補給することができる装置が提案され、開示されている。
【００１０】
しかしながら、この特許文献１に開示された装置では、動物用トイレを手で持って装置まで移動して、この装置へセットし、猫などのペットが気に入った元の場所へこの動物用トイレを戻す作業が必要であるという煩雑さがあるという問題がある。
【００１１】
また、特に猫は、気まぐれで、この動物用トイレをきっちりと元の場所へ戻さないと気分を害すおそれもあり、他のペットに比して、より気を遣わなければならず、気疲れするという問題もある。
【００１２】
さらに、２匹以上の多頭飼いの人も増えてきているので、多頭飼いの人にとっては、その煩雑さや気疲れは何倍にもなるという問題がある。
【先行技術文献】
【特許文献】
【００１３】
【特許文献１】実用新案登録第３１１８０３８号公報
【考案の概要】
【考案が解決しようとする課題】
【００１４】
本考案は、以上のような従来の問題を解消するためのものであって、その課題は、猫などの動物用トイレへ粒状排泄物処理材を補給するに際し、この動物用トイレを移動させ、元の場所に戻すことによる煩雑さや気疲れをなくすことができる粒状排泄物処理材の貯蔵補給装置を提供することにある。
【課題を解決するための手段】
【００１５】
前記課題を解決するために、請求項１記載の考案にあっては、粒状の排泄物処理材を内部に貯蔵して動物用トイレに必要な分量の粒状の排泄物処理材を補給するための貯蔵補給装置であって、内部には粒状の排泄物処理材の収納部を有すると共に前記収納部の下方には粒状の排泄物処理材を前記動物用トイレに補給するための容器の配置空間部を有し、前記収納部の下端部には粒状の排泄物処理材の補給孔が設けられる一方、前記容器内へ粒状の排泄物処理材を供給させうると共に供給を停止させうる開閉手段及びその開閉操作手段が設けられていることを特徴とする。
従って、猫などの動物用トイレへ粒状排泄物処理材を補給するに際し、前記容器に必要な分量の粒状の排泄物処理材を供給し、猫などのペットの動物用トイレまで運んで補給すればよいため、この動物用トイレを移動させ、元の場所に戻す必要がない。
【００１６】
請求項２記載の考案にあっては、前記開閉手段は、前記補給孔を開閉しうるスライド板により構成されると共に、前記開閉操作手段は、前記スライド板による前記補給孔を開閉させるためのスライドツマミであることを特徴とする。
従って、前記開閉手段と前記開閉操作手段を簡易な構造とすることができる。
【００１７】
請求項３記載の考案にあっては、前記収納部には前記補給孔へ至るに従って幅方向において小径となる傾斜面部が設けられ、前記スライド板は前記補給孔を横方向にスライドして開閉しうるように構成されていることを特徴とする。
従って、前記傾斜面部に案内され、前記収納部内に貯蔵された粒状の排泄物処理材が、前記容器内に供給される際、スムーズに流れるとともに、古い粒状の排泄物処理材が隅部に残ることがない。
【００１８】
請求項４記載の考案にあっては、前記収納部の上端部は開放されて供給孔が形成され、前記供給孔は開閉可能な蓋部により被覆されていることを特徴とする。
従って、前記蓋部により前記収納部内が密閉状態に近くなるため、粒状の排泄物処理材が湿気による影響を受ける事態を抑制することができる。
【００１９】
請求項５記載の考案にあっては、前記蓋部の上側面の全体乃至一部が透明材料又は半透明材料で形成されていることを特徴とする。
従って、前記収納部内に貯蔵されている粒状の排泄物処理材の残量を目視で確認することができる。
【００２０】
請求項６記載の考案にあっては、前記配置空間部は、前記容器を、前記配置空間部に嵌め込みさせうると共に前記配置空間部から取り外しさせうるように形成されていることを特徴とする。
従って、前記配置空間部に前記容器をしっかりと嵌め込めば、前記補給孔の直下に前記容器の上側の開口部が位置することとなる。
【考案の効果】
【００２１】
請求項１記載の粒状排泄物処理材の貯蔵補給装置にあっては、粒状の排泄物処理材を内部に貯蔵して動物用トイレに必要な分量の粒状の排泄物処理材を補給するための貯蔵補給装置であって、内部には粒状の排泄物処理材の収納部を有すると共に前記収納部の下方には粒状の排泄物処理材を前記動物用トイレに補給するための容器の配置空間部を有し、前記収納部の下端部には粒状の排泄物処理材の補給孔が設けられる一方、前記容器内へ粒状の排泄物処理材を供給させうると共に供給を停止させうる開閉手段及びその開閉操作手段が設けられた構成とされている。
従って、猫などの動物用トイレへ粒状排泄物処理材を補給するに際し、前記容器に必要な分量の粒状の排泄物処理材を供給し、猫などのペットの動物用トイレまで運んで補給すればよいため、この動物用トイレを移動させ、元の場所に戻す必要がない。
その結果、猫などの動物用トイレへ粒状排泄物処理材を補給するに際し、前記容器に必要な分量の粒状の排泄物処理材を供給し、猫などのペットの動物用トイレまで運んで補給すればよいため、この動物用トイレを移動させ、元の場所に戻す必要がないので、この動物用トイレを移動させ、元の場所に戻すことによる煩雑さや気疲れをなくすことができる。
【００２２】
請求項２記載の粒状排泄物処理材の貯蔵補給装置にあっては、前記開閉手段は、前記補給孔を開閉しうるスライド板により構成されると共に、前記開閉操作手段は、前記スライド板による前記補給孔を開閉させるためのスライドツマミである。
従って、前記開閉手段と前記開閉操作手段を簡易な構造とすることができる。
その結果、前記開閉手段と前記開閉操作手段を簡易な構造とすることができるので、その分、製造コストを低減することができる。
【００２３】
請求項３記載の粒状排泄物処理材の貯蔵補給装置にあっては、前記収納部には前記補給孔へ至るに従って幅方向において小径となる傾斜面部が設けられ、前記スライド板は前記補給孔を横方向にスライドして開閉しうるように構成されている。
従って、前記傾斜面部に案内され、前記収納部内に貯蔵された粒状の排泄物処理材が、前記容器内に供給される際、スムーズに流れるとともに、古い粒状の排泄物処理材が隅部に残ることがない。
その結果、前記傾斜面部に案内され、前記収納部内に貯蔵された粒状の排泄物処理材が、前記容器内に供給される際、スムーズに流れるとともに、古い粒状の排泄物処理材が隅部に残ることがないので、前記容器内に粒状の排泄物処理材を効率良く供給することができるうえに、こまめに使い続けている限りは、前記収納部内で、粒状の排泄物処理材が使用期限切れになるまで変質してしまうおそれがほぼない。
【００２４】
請求項４記載の粒状排泄物処理材の貯蔵補給装置にあっては、前記収納部の上端部は開放されて供給孔が形成され、前記供給孔は開閉可能な蓋部により被覆されている。
従って、前記蓋部により前記収納部内が密閉状態に近くなるため、粒状の排泄物処理材が湿気による影響を受ける事態を抑制することができる。
その結果、前記蓋部により前記収納部内が密閉状態に近くなるため、粒状の排泄物処理材が湿気による影響を受ける事態を抑制することができるので、粒状の排泄物処理材が使い物にならないほど変質してしまうおそれを低減することができる。
【００２５】
請求項５記載の粒状排泄物処理材の貯蔵補給装置にあっては、前記蓋部の上側面の全体乃至一部が透明材料又は半透明材料で形成されている。
従って、前記収納部内に貯蔵されている粒状の排泄物処理材の残量を目視で確認することができる。
その結果、前記収納部内に貯蔵されている粒状の排泄物処理材の残量を目視で確認することができるので、粒状の排泄物処理材の残量が少なくなったときは、すぐさま気付くため、前記収納部内に粒状の排泄物処理材を補充して対処することができる。
【００２６】
請求項６記載の粒状排泄物処理材の貯蔵補給装置にあっては、前記配置空間部は、前記容器を、前記配置空間部に嵌め込みさせうると共に前記配置空間部から取り外しさせうるように形成されている。
従って、前記配置空間部に前記容器をしっかりと嵌め込めば、前記補給孔の直下に前記容器の上側の開口部が位置することとなる。
その結果、前記配置空間部に前記容器をしっかりと嵌め込めば、前記補給孔の直下に前記容器の上側の開口部が位置することとなるので、粒状の排泄物処理材をこぼさず簡単に前記容器内に供給することができる。
【図面の簡単な説明】
【００２７】
【図１】図１は、本考案の実施形態の粒状排泄物処理材の貯蔵補給装置の概略構成を一部破断して示す正面図である。
【図２】図２は、本考案の実施形態の粒状排泄物処理材の貯蔵補給装置の概略構成を一部破断して示す右側面図である。
【図３】図３は、本考案の実施形態の粒状排泄物処理材の貯蔵補給装置の開閉手段の概略構成を示す平面図である。
【考案を実施するための形態】
【００２８】
以下、本考案に係る粒状排泄物処理材の貯蔵補給装置を、実施形態に基づき、図面を参照して説明する。
【００２９】
先ず、実施形態の粒状排泄物処理材の貯蔵補給装置１０の構成について説明する。
図１〜図３は、本考案の実施形態の貯蔵補給装置１０の概略構成を示している。
【００３０】
この実施形態の貯蔵補給装置１０は、粒状の排泄物処理材を内部に貯蔵して猫用のトイレなどの動物用トイレに必要な分量の粒状の排泄物処理材を補給するための貯蔵補給装置である。
【００３１】
そして、この実施形態の貯蔵補給装置１０は、図１及び図２に示したように、外形が箱形形状であり、内部には粒状の排泄物処理材の収納部１１を有すると共に収納部１１の下方には粒状の排泄物処理材を動物用トイレに補給するための容器１２の配置空間部１３を有し、収納部１１の下端部には粒状の排泄物処理材の補給孔１４が設けられる一方、容器１２内へ粒状の排泄物処理材を供給させうると共に供給を停止させうる開閉手段１５及びその開閉操作手段としてのスライドツマミ１６が設けられた構成とされている。
【００３２】
ここで、開閉手段１５は、図２及び図３に示したように、幅方向両側にスライド溝１７，１７が形成され、中央に補給孔１４が設けられた長方形状のスライド板受材１８に、その長さ方向一端部側から、長方形状のスライド板１９が、スライド板受材１８の長さ方向にスライド可能に嵌め込まれ、収納部１１の下端部から延設された垂下部２０の内側面に形成された固定溝２１にスライド板受材１８の幅方向端部が嵌め込み固定された構成とされている。
【００３３】
そのうえで、スライド板１９の上側面には、立ち上がり部と水平部とを有する断面Ｌ字状のガイド部材２２が、立ち上がり部の下端部に形成された固定部２３の部分で固定され、ガイド部材２２の水平部は、垂下部２０の貯蔵補給装置１０の外側に面する側に形成された水平方向に長いスリット孔２４に挿通され、さらに、ガイド部材２２の水平部の水平部２０の外側に突出した部分に、縦長直方体形状の開閉操作手段としてのスライドツマミ１６が取り付けられている。
【００３４】
これにより、図１に示した状態から開閉操作手段としてのスライドツマミ１６を手で左側へスライドさせると、スライド板１９が左方向に移動して補給孔１４が開状態となり、収納部１１内に貯蔵された粒状の排泄物処理材が容器１２内に供給される。
【００３５】
そして、粒状の排泄物処理材が容器１２内に必要な分量が供給され、開閉操作手段としてのスライドツマミ１６を右側へスライドさせて戻すと、供給が停止される。
【００３６】
なお、図２に示したように、貯蔵補給装置１０の外側へ開閉操作手段としてのスライドツマミ１６が突出しないように、スライドツマミ配置空間部２５が形成されている。
【００３７】
また、図１及び図２に示したように、収納部１１には補給孔１４へ至るに従って幅方向において小径となる傾斜面部２６が設けられている。
【００３８】
さらに、収納部１１の上端部は開放されて供給孔２７が形成され、供給孔２７は開閉可能な蓋部２８により被覆されている。
【００３９】
また、蓋部２８の上側面の全体が透明材料で形成されており、収納部１１内の粒状の排泄物処理材の残量が目視できるようになっている。
【００４０】
さらに、配置空間部１３は、容器１２を、この配置空間部１３に嵌め込みさせうると共にこの配置空間部１３から取り外しさせうるように形成されている。
【００４１】
また、この容器１２は、その外形が、配置空間部１３よりもやや小さめの略直方体形状とされ、角部は円みをおびるようになっており、半透明材料で形成され、横に持ち運び易いように取手２９が設けられている。
【００４２】
さらに、図２に示したように、配置空間部１３の底板３０の上側面の中央部には、突起３１が設けられており、容器１２の底面には、凹部３２が形成されており、突起３１に容器１２の凹部３２が嵌ることにより、正確な位置に容器１２が配置されたことを確認できるようになっている。
【００４３】
なお、粒状排泄物処理材の貯蔵補給装置１０の略全体は、低コストで容易に加工できる合成樹脂などで形成されており、ここでは、幅が約３０ｃｍで、高さは約６０ｃｍとしている。
【００４４】
また、高い強度が必要とされるスライド板受材１８、スライド板１９、及びガイド部材２２は、金属などで形成されている。
【００４５】
そして、ガイド部材２２の固定部２３は、溶接、接着、ビス止めなどにより、スライド板１９の上側面に固定されている。
【００４６】
次に、この実施形態の粒状排泄物処理材の貯蔵補給装置１０の作用効果について説明する。
【００４７】
この本考案の実施形態の粒状排泄物処理材の貯蔵補給装置１０は、図１〜図３に示したように、粒状の排泄物処理材を内部に貯蔵して動物用トイレに必要な分量の粒状の排泄物処理材を補給するための貯蔵補給装置であって、内部には粒状の排泄物処理材の収納部１１を有すると共に収納部１１の下方には粒状の排泄物処理材を動物用トイレに補給するための容器１２の配置空間部１３を有し、収納部１３の下端部には粒状の排泄物処理材の補給孔１４が設けられる一方、容器１２内へ粒状の排泄物処理材を供給させうると共に供給を停止させうる開閉手段１５及びその開閉操作手段としてのスライドツマミ１６が設けられた構成とされている。
【００４８】
従って、猫などの動物用トイレへ粒状排泄物処理材を補給するに際し、容器１２に必要な分量の粒状の排泄物処理材を供給し、猫などのペットの動物用トイレまで運んで補給すればよいため、この動物用トイレを移動させ、元の場所に戻す必要がない。
【００４９】
その結果、猫などの動物用トイレへ粒状排泄物処理材を補給するに際し、容器１２に必要な分量の粒状の排泄物処理材を供給し、猫などのペットの動物用トイレまで運んで補給すればよいため、この動物用トイレを移動させ、元の場所に戻す必要がないので、この動物用トイレを移動させ、元の場所に戻すことによる煩雑さや気疲れをなくすことができる。
【００５０】
ここで、開閉手段１５は、補給孔１４を開閉しうるスライド板１９により構成されると共に、開閉操作手段は、スライド板１９による補給孔１４を開閉させるためのスライドツマミ１６である。
【００５１】
従って、開閉手段１５と開閉操作手段としてのスライドツマミ１６を簡易な構造とすることができる。
【００５２】
その結果、開閉手段１５と開閉操作手段としてのスライドツマミ１６を簡易な構造とすることができるので、その分、製造コストを低減することができる。
【００５３】
また、収納部１１には補給孔１４へ至るに従って幅方向において小径となる傾斜面部２６が設けられ、スライド板１９は補給孔１４を横方向にスライドして開閉しうるように構成されている。
【００５４】
従って、傾斜面部２６に案内され、収納部１１内に貯蔵された粒状の排泄物処理材が、容器１２内に供給される際、スムーズに流れるとともに、古い粒状の排泄物処理材が隅部に残ることがない。
【００５５】
その結果、傾斜面部２６に案内され、収納部１１内に貯蔵された粒状の排泄物処理材が、容器１２内に供給される際、スムーズに流れるとともに、古い粒状の排泄物処理材が隅部に残ることがないので、容器１２内に粒状の排泄物処理材を効率良く供給することができるうえに、こまめに使い続けている限りは、収納部１１内で、粒状の排泄物処理材が使用期限切れになるまで変質してしまうおそれがほぼない。
【００５６】
さらに、収納部１１の上端部は開放されて供給孔２７が形成され、供給孔２７は開閉可能な蓋部２８により被覆されている。
【００５７】
従って、蓋部２８により収納部１１内が密閉状態に近くなるため、粒状の排泄物処理材が湿気による影響を受ける事態を抑制することができる。
【００５８】
その結果、蓋部２８により収納部１１内が密閉状態に近くなるため、粒状の排泄物処理材が湿気による影響を受ける事態を抑制することができるので、粒状の排泄物処理材が使い物にならないほど変質してしまうおそれを低減することができる。
【００５９】
また、蓋部２８の上側面の全体が透明材料で形成されている。
【００６０】
従って、収納部１１内に貯蔵されている粒状の排泄物処理材の残量を目視で確認することができる。
【００６１】
その結果、収納部１１内に貯蔵されている粒状の排泄物処理材の残量を目視で確認することができるので、粒状の排泄物処理材の残量が少なくなったときは、すぐさま気付くため、収納部１１内に粒状の排泄物処理材を補充して対処することができる。
【００６２】
さらに、配置空間部１３は、容器１２を、この配置空間部１３に嵌め込みさせうると共にこの配置空間部１３から取り外しさせうるように形成されている。
【００６３】
従って、配置空間部１３に容器１２をしっかりと嵌め込めば、補給孔１４の直下に容器１２の上側の開口部が位置することとなる。
【００６４】
その結果、配置空間部１３に容器１２をしっかりと嵌め込めば、補給孔１４の直下に容器１２の上側の開口部が位置することとなるので、粒状の排泄物処理材をこぼさず簡単に容器１２内に供給することができる。
【００６５】
また、配置空間部１３の底板３０の上側面の中央部には、突起３１が設けられており、容器１２の底面には、凹部３２が形成されており、突起３１に容器１２の凹部３２が嵌め込みしうるようになっている。
【００６６】
従って、容器１２を配置空間部１３に配置する際、配置空間部１３の底板３０の突起３１に容器１２の底面の凹部３２が嵌まり込むと、容器１２の開口部が補給孔１４の直下の正確な位置になる。
【００６７】
その結果、容器１２を配置空間部１３に配置する際、配置空間部１３の底板３０の突起３１に容器１２の底面の凹部３２が嵌まり込むと、容器１２の開口部が補給孔１４の直下の正確な位置になるので、容器１２が正確な配置されたことを感覚的に容易に確認できる。
【００６８】
さらに、容器１２は、半透明材料で形成されている。
【００６９】
従って、容器１２内を目視で確認することができる。
【００７０】
その結果、容器１２内を目視で確認することができるので、粒状の排泄物処理材を容器１２内に供給する際、必要な分量になったときがすぐに分かる。
【００７１】
以上、本考案に係る粒状排泄物処理材の貯蔵補給装置の実施形態について図面を参照して詳述してきたが、具体的な構成は、この実施形態に限らず、本考案の要旨を逸脱しない程度の設計的変更は、本考案に含まれる。
【００７２】
例えば、上記した実施形態では、機能面を分かり易くするために、粒状排泄物処理材の貯蔵補給装置１０の表面に何も表示しなかったが、これに限定されず、猫の絵を表示するなどし、意匠性を高めて実施してもよい。
【００７３】
また、開閉操作手段としてのスライドツマミ１６も、意匠性を重視して、直方体形状ではなく、猫の肉球形状などにして実施してもよい。
【００７４】
また、上記した実施形態では、蓋部２８の上側面の全体を透明材料で形成したが、これに限定されず、半透明材料で実施してもよいし、蓋部２８の上側面の一部のみを透明材料又は半透明材料で形成して実施してもよい。
【００７５】
さらに、上記した実施形態では、粒状排泄物処理材の貯蔵補給装置１０を、特に、猫用に適したものとして説明したが、これに限定されず、他の動物用に用いて実施してもよい。
【産業上の利用可能性】
【００７６】
本考案に係る粒状排泄物処理材の貯蔵補給装置は、猫などのペットのための動物用トイレに使用される粒状の排泄物処理材を貯蔵し、補給するための粒状排泄物処理材の貯蔵補給装置として、広く実施することができるので、産業上の利用可能性を有している。
【符号の説明】
【００７７】
１０    粒状排泄物処理材の貯蔵補給装置
１１    収納部
１２    容器
１３    配置空間部
１４    補給孔
１５    開閉手段
１６    スライドツマミ（開閉操作手段）
１７    スライド溝
１８    スライド板受材
１９    スライド板
２０    垂下部
２１    固定溝
２２    ガイド部材
２３    固定部
２４    スリット孔
２５    スライドツマミ配置空間部
２６    傾斜面部
２７    供給孔
２８    蓋部
２９    取手
３０    底板
３１    突起
３２    凹部
【図１】
0003214437.tif 000003
【図２】
0003214437.tif 000004
【図３】
0003214437.tif 000005
【手続補正書】
【提出日】平成29年11月15日(2017.11.15)
【手続補正１】
【補正対象書類名】実用新案登録請求の範囲
【補正対象項目名】全文
【補正方法】変更
【補正の内容】
【実用新案登録請求の範囲】
【請求項１】
粒状の排泄物処理材を内部に貯蔵して動物用トイレに必要な分量の粒状の排泄物処理材を補給するための貯蔵補給装置であって、
内部には粒状の排泄物処理材の収納部を有すると共に前記収納部の下方には粒状の排泄物処理材を前記動物用トイレに補給するための容器の配置空間部を有し、前記収納部の下端部には粒状の排泄物処理材の補給孔が設けられる一方、
前記容器内へ粒状の排泄物処理材を供給させうると共に供給を停止させうる開閉手段及びその開閉操作手段が設けられていることを特徴とする粒状排泄物処理材の貯蔵補給装置。
【請求項２】
前記開閉手段は、前記補給孔を開閉しうるスライド板により構成されると共に、前記開閉操作手段は、前記スライド板による前記補給孔を開閉させるためのスライドツマミであることを特徴とする請求項１記載の粒状排泄物処理材の貯蔵補給装置。
【請求項３】
前記収納部には前記補給孔へ至るに従って幅方向において小径となる傾斜面部が設けられ、前記スライド板は前記補給孔を横方向にスライドして開閉しうるように構成されていることを特徴とする請求項２に記載の粒状排泄物処理材の貯蔵補給装置。
【請求項４】
前記収納部の上端部は開放されて供給孔が形成され、前記供給孔は開閉可能な蓋部により被覆されていることを特徴とする請求項１乃至３のいずれか１項に記載の粒状排泄物処理材の貯蔵補給装置。
【請求項５】
前記蓋部の上側面の全体乃至一部が透明材料又は半透明材料で形成されていることを特徴とする請求項４記載の粒状排泄物処理材の貯蔵補給装置。
【請求項６】
前記配置空間部は、前記容器を、前記配置空間部に嵌め込みさせうると共に前記配置空間部から取り外しさせうるように形成されていることを特徴とする請求項１乃至５のいずれか１項に記載の粒状排泄物処理材の貯蔵補給装置。